(57)【要約】【課題】実際の在庫数と管理されている在庫数との不一致を解消することができる在庫管理システムを提供する。【解決手段】在庫置場２でのパレット５の在庫数を、パレット５に付与されたタグ６のバーコードをハンディターミナル３１，３２で読み込むことによって管理する在庫管理システム１において、パレット５に付与されるタグ６を取り外し可能とし、在庫置場２へのパレット５の搬入時にタグ６をハンディターミナル３１で読み取り、在庫置場２からのパレット５の搬出時にタグ６をハンディターミナル３１で読み取って、該タグ６をパレット５から外して、在庫置場２に搬入される他のパレット５に付与する。在庫管理サーバ４に蓄積された情報の中に同一タグの情報が複数存在する場合、これら同一タグの情報のうち最新の情報に基づき、在庫置場２での在庫数を判定する。【選択図】図１
2019099284.tif 000002
【特許請求の範囲】
【請求項１】
保管場所における対象部材の在庫数を管理する在庫管理システムにおいて、
前記保管場所へ搬入される前記対象部材に対して付与されており、前記保管場所からの前記対象部材の搬出時に取り外され、且つ前記保管場所に搬入される他の対象部材に対しても付与され、それぞれ固有の情報を有する複数種類のタグと、
前記保管場所への前記対象部材の搬入時および前記保管場所からの前記対象部材の搬出時に、前記タグにおける前記固有の情報を読み取る一つまたは複数の読取手段と、
前記保管場所への前記対象部材の搬入時に前記読取手段によって読み取られた前記タグの前記固有の情報、および、前記保管場所からの前記対象部材の搬出時に前記読取手段によって読み取られた前記タグの前記固有の情報それぞれを受信して蓄積する在庫管理手段とを備えており、
前記在庫管理手段は、前記蓄積された情報の中に同一タグの固有の情報が複数存在する場合、これら同一タグの固有の情報のうち最新の情報に基づき、前記保管場所における前記対象部材の在庫数を判定するよう構成されていることを特徴とする在庫管理システム。
【発明の詳細な説明】
【技術分野】
【０００１】
本発明は在庫管理システムに係る。特に、本発明は、在庫数カウントロジックの改良に関する。
【背景技術】
【０００２】
従来、自動車の製造工場にあっては、自動車の製造に供する部品の在庫管理が行われている。例えば、特許文献１に開示されているように、部品に対応して付与されたバーコードをハンディターミナル等によって読み取り、この読み取られた情報に応じて在庫管理データの更新を行うようになっている。
【０００３】
図１１は、従来技術に係る在庫管理システムの概略を示す模式図である。この図１１に示すものは、自動車の製造ライン上における工程１と工程２との間に在庫置場ａが設置されている。そして、部品を収容したパレットｂを在庫置場ａに搬入（入庫）する際には、該パレットｂに付与されているバーコードｃをハンディターミナルｄ１のバーコードリーダやセンサ（図示省略）によって読み取る。この読み取られた情報（搬入されたパレットｂの情報等）は、在庫管理サーバｅに送信される。また、パレットｂを在庫置場ａから工程２に向けて搬出（出庫）する際にも、該パレットｂに付与されているバーコードｃをハンディターミナルｄ２のバーコードリーダやセンサによって読み取る。この読み取られた情報（搬出されたパレットｂの情報等）も、在庫管理サーバｅに送信される。このようにして、在庫管理サーバｅでは、搬入されたパレット数の情報と搬出されたパレット数の情報とが集約され、搬入されたパレット数から搬出されたパレット数を差し引くことで在庫置場ａにおける在庫数をカウントするようにしている。なお、在庫置場ａから搬出されたパレットｂはバーコードｃが付与されたまま工程２に送られる。
【先行技術文献】
【特許文献】
【０００４】
【特許文献１】特開平１０−３１７１０号公報
【発明の概要】
【発明が解決しようとする課題】
【０００５】
在庫置場ａにパレットｂを搬入する際のバーコードｃの読み取りと、在庫置場ａからパレットｂを搬出する際のバーコードｃの読み取りとが適正に行われた場合には、実際の在庫数（在庫置場ａに実際に存在しているパレット数）と、在庫管理サーバｅ上で管理している在庫数（管理されているパレット数）とは一致することになる。
【０００６】
しかしながら、作業者によるバーコードｃの読み取り忘れが生じた場合や、ハンディターミナルｄ１，ｄ２やセンサの一時的な故障等によってバーコードｃが読み取られなかった場合には、在庫管理サーバｅにパレットｂの搬入情報や搬出情報が送信されなくなり、実際の在庫数と、在庫管理サーバｅ上で管理している在庫数とが一致しなくなってしまう。
【０００７】
そして、パレットｂを搬出する際にバーコードｃの読み取り忘れが生じる等して、実際の在庫数よりも在庫管理サーバｅ上で管理している在庫数の方が多くなった場合には、実際の在庫数が不足する状況を招き、生産指示の遅れや欠品が発生してしまう虞がある。逆に、パレットｂを搬入する際にバーコードｃの読み取り忘れが生じる等して、実際の在庫数よりも在庫管理サーバｅ上で管理している在庫数の方が少なくなった場合には、生産指示のタイミングが早くなり過ぎて無駄な在庫が発生してしまう虞がある。
【０００８】
このような在庫数のズレ（在庫数の不一致）が生じた場合、在庫管理作業者がこの在庫数のズレに気付き、在庫管理サーバｅ上のデータを修正するまで、前述した状況が継続してしまうことになっていた。
【０００９】
本発明は、かかる点に鑑みてなされたものであり、その目的とするところは、実際の在庫数と管理されている在庫数との不一致を解消することができる在庫管理システムを提供することにある。
【課題を解決するための手段】
【００１０】
前記の目的を達成するための本発明の解決手段は、保管場所における対象部材の在庫数を管理する在庫管理システムを前提とする。そして、この在庫管理システムは、前記保管場所へ搬入される前記対象部材に対して付与されており、前記保管場所からの前記対象部材の搬出時に取り外され、且つ前記保管場所に搬入される他の対象部材に対しても付与され、それぞれ固有の情報を有する複数種類のタグと、前記保管場所への前記対象部材の搬入時および前記保管場所からの前記対象部材の搬出時に、前記タグにおける前記固有の情報を読み取る一つまたは複数の読取手段と、前記保管場所への前記対象部材の搬入時に前記読取手段によって読み取られた前記タグの前記固有の情報、および、前記保管場所からの前記対象部材の搬出時に前記読取手段によって読み取られた前記タグの前記固有の情報それぞれを受信して蓄積する在庫管理手段とを備えており、前記在庫管理手段は、前記蓄積された情報の中に同一タグの固有の情報が複数存在する場合、これら同一タグの固有の情報のうち最新の情報に基づき、前記保管場所における前記対象部材の在庫数を判定するよう構成されていることを特徴とする。
【００１１】
この特定事項により、保管場所から対象部材が搬出される際、その対象部材に付与されていたタグは取り外され、保管場所に搬入される他の対象部材に対して付与される。つまり、同一工程内において複数種類のタグが循環している。このため、保管場所に対する対象部材の搬入および搬出が繰り返されると、在庫管理手段には同一タグの固有の情報の複数が履歴として蓄積されることになる。そして、在庫管理手段は、このようにして蓄積された情報の中に同一タグの固有の情報が複数存在する場合には、これら同一タグの固有の情報のうち最新の情報に基づき、保管場所における対象部材の在庫数を判定する。例えば、複数存在している同一タグの固有の情報のうち、最新の情報のみを残し、他の同一タグの固有の情報をキャンセルすることで残った互いに異なる種類のタグの固有の情報のみに基づいて保管場所における対象部材の在庫数をカウントする。このため、読取手段によるタグの固有の情報の読み取り忘れが生じた場合や、読取手段の一時的な故障によってタグの固有の情報が読み取れなかった場合であっても、保管場所における実際の在庫数と、在庫管理手段で管理している在庫数との不一致を解消することができる。
【発明の効果】
【００１２】
本発明では、保管場所への対象部材の搬入時に読取手段によって読み取られたタグの固有の情報、および、保管場所からの対象部材の搬出時に読取手段によって読み取られたタグの固有の情報それぞれを在庫管理手段が受信して蓄積し、その蓄積された情報の中に同一タグの固有の情報が複数存在する場合、これら同一タグの固有の情報のうち最新の情報に基づき、保管場所における対象部材の在庫数を判定するようにしている。このため、タグの固有の情報の読み取り忘れ等が生じた場合であっても、保管場所における実際の在庫数と、在庫管理手段で管理している在庫数との不一致を解消することができる。
【図面の簡単な説明】
【００１３】
【図１】実施形態に係る在庫管理システムの概略を示す模式図である。
【図２】読み取り忘れが生じていない場合におけるタグ読み取り履歴、タグ最終読み取り履歴、在庫数それぞれの表示状態を示す図である。
【図３】読み取り忘れが生じた第１パターンにおける３個目のタグ情報が読み取られた時点でのタグ読み取り履歴、タグ最終読み取り履歴、在庫数それぞれの表示状態を示す図である。
【図４】読み取り忘れが生じた第１パターンにおける４個目のタグ情報が読み取られた時点での図３相当図である。
【図５】読み取り忘れが生じた第１パターンにおける５個目のタグ情報が読み取られた時点での図３相当図である。
【図６】読み取り忘れが生じた第１パターンにおける６個目のタグ情報が読み取られた時点での図３相当図である。
【図７】読み取り忘れが生じた第２パターンにおける３個目のタグ情報が読み取られた時点での図３相当図である。
【図８】読み取り忘れが生じた第２パターンにおける４個目のタグ情報が読み取られなかった時点での図３相当図である。
【図９】読み取り忘れが生じた第２パターンにおける５個目のタグ情報が読み取られた時点での図３相当図である。
【図１０】読み取り忘れが生じた第２パターンにおける６個目のタグ情報が読み取られた時点での図３相当図である。
【図１１】従来技術に係る在庫管理システムの概略を示す模式図である。
【発明を実施するための形態】
【００１４】
以下、本発明の実施の形態を図面に基づいて説明する。本実施形態は、自動車の製造工場において自動車の製造に供する部品の在庫管理を行う在庫管理システムとして本発明を適用した場合について説明する。
【００１５】
（在庫管理システムの概略構成）
図１は、本実施形態に係る在庫管理システム１の概略を示す模式図である。この図１に示す在庫管理システム１は、自動車の製造ライン上における工程１と工程２との間に設置されている在庫置場（保管場所）２での在庫数を管理するためのものである。
【００１６】
また、この在庫管理システム１は、複数のハンディターミナル（読取手段）３１，３２と在庫管理サーバ（在庫管理手段）４とを含んで構築されている。
【００１７】
ハンディターミナル３１は、バーコードリーダ（図示省略）を備え、部品を収容したパレット（対象部材）５を在庫置場２に搬入する際に、該パレット５に付与されているタグ６上のバーコードを読み取り、その情報を在庫管理サーバ４に送信する。つまり、このハンディターミナル３１によってバーコードが適正に読み取られた場合には、パレット５が在庫置場２に搬入されたことの情報、および、そのパレット５に付与されているタグ６の固有の情報（バーコードから得られる情報）等が在庫管理サーバ４に送信される。
【００１８】
ハンディターミナル３２は、バーコードリーダ（図示省略）を備え、在庫置場２に保管されていたパレット５を在庫置場２から搬出する際に、該パレット５に付与されているタグ６上のバーコードを読み取り、その情報を在庫管理サーバ４に送信する。つまり、このハンディターミナル３２によってバーコードが適正に読み取られた場合には、パレット５が在庫置場２から搬出されたことの情報、および、そのパレット５に付与されているタグ６の固有の情報等が在庫管理サーバ４に送信される。
【００１９】
なお、タグ６上のバーコードを読み取ることで在庫管理サーバ４に送信される情報として具体的には、パレット５に収容されている部品の品番の情報、タグ番号の情報、工程名の情報、設備名の情報、搬入または搬出された時刻の情報、搬入または搬出の区分情報が含まれる。
【００２０】
（タグの循環）
本実施形態の特徴の一つとしては、パレット５に付与されているタグ６が該パレット５から取り外し可能となっている点にある。そして、このタグ６は、パレット５が在庫置場２へ搬入される際には該パレット５に対して付与されており、パレット５が在庫置場２から搬出される際には取り外される。そして、この取り外されたタグ６は、工程１付近に設置されたタグ置場７に一時的に置かれ、在庫置場２に搬入される他のパレット５に対して付与されるようになっている。つまり、本実施形態では、在庫置場２と該在庫置場２に搬入されるパレット５との間でタグ６が循環されるようになっている。例えば、タグ６としては５種類（タグ番号００１〜００５の５種類）が用意されており、これらタグ６が循環するようになっている。つまり、同一品番、同一工程の部品であっても、各タグ６の情報（バーコード）は完全には一致しないようになっている。このため、在庫置場２に対するパレット５の搬入および搬出が繰り返されると、同一のタグ番号を含む情報（以下、単にタグの情報という場合もある）が在庫管理サーバ４に蓄積されていくことになる。なお、前記循環するタグ６としては５種類には限定されず、任意に設定可能である。
【００２１】
在庫管理サーバ４では、搬入されたパレット数の情報と搬出されたパレット数の情報とが集約され、後述する在庫数カウントロジックによって、在庫置場２における在庫数がカウントされる。また、在庫管理サーバ４は在庫管理者の端末機器（パーソナルコンピュータ等）８が接続可能となっており、管理している在庫情報を端末機器８に出力するようになっている。端末機器８では、在庫管理サーバ４から受信した在庫情報の一覧が表示されることになる。
【００２２】
そして、本実施形態では、在庫管理サーバ４に蓄積された情報の中に同一タグの情報が複数存在する場合、これら同一タグの情報のうち最新の情報に基づき、在庫置場２におけるパレット５の在庫数を判定するようにしている。この在庫数の判定手法の詳細については後述する。
【００２３】
（在庫情報の表示）
図２は、前記端末機器８に表示される在庫情報の一例を示している。この図２はバーコードの読み取り忘れが生じていない場合における表示状態を表している。
【００２４】
この図２に示すように、在庫情報としては、タグ読み取り履歴、タグ最終読み取り履歴、在庫数が表示（テーブルとして表示）される。これらテーブルに表示される情報としては、前述したように、パレット５に収容されている部品の品番、タグ番号（タグNo）、工程名、設備名、搬入または搬出された時刻、搬入または搬出の区分が含まれる。
【００２５】
なお、以下では、タグ読み取り履歴、タグ最終読み取り履歴、在庫数の表示として、最上段の表示を第１項目と呼び、上から２番目の表示を第２項目と呼び、上から３番目の表示を第３項目と呼び、以下、同様に各表示に項目名を付けるものとする。これら項目は下側のものほど最新の情報を表示している。
【００２６】
タグ読み取り履歴は、前記各ハンディターミナル３１，３２から受信した情報の履歴である。図２におけるタグ読み取り履歴では、タグNo.００１、タグNo.００２、タグNo.００３、タグNo.００４、タグNo.００５、タグNo.００１、タグNo.００２の各情報（それぞれのタグ番号を含む情報）を在庫管理サーバ４が受信したことで、これら情報が各項目として上側から順に表示されている。ここでは、タグNo.００１〜タグNo.００５それぞれが付与された各パレット５が在庫置場２に順に搬入された後、タグNo.００１およびタグNo.００２それぞれが付与されたパレット５が在庫置場２から順に搬出された場合のタグ読み取り履歴を表示している。
【００２７】
また、タグ最終読み取り履歴は、前記タグ読み取り履歴に含まれる各タグ６の情報のうち、各タグ番号それぞれにおける最新のタグ情報のみを抽出したものである。つまり同一タグの情報が複数存在する場合には、最新のタグ情報のみを抽出してタグ最終読み取り履歴として表示する。図２におけるタグ最終読み取り履歴では、前記タグ読み取り履歴としてタグNo.００１およびタグNo.００２それぞれの情報が複数存在しているため、これらタグ番号については最新のタグ情報のみが抽出されて表示されている。つまり、第１項目にタグNo.００３の情報（タグ読み取り履歴における第３項目の情報）が、第２項目にタグNo.００４の情報（タグ読み取り履歴における第４項目の情報）が、第３項目にタグNo.００５の情報（タグ読み取り履歴における第５項目の情報）が、第４項目にタグNo.００１の情報（タグ読み取り履歴における第６項目の情報）が、第５項目にタグNo.００２の情報（タグ読み取り履歴における第７項目の情報）が順に表示されている。
【００２８】
また、在庫数は、前記タグ最終読み取り履歴から、搬出されたパレット５に付与されていたタグの情報（区分が搬出となっているもの）を削除して表示したものである。図２における在庫数では、前記タグ最終読み取り履歴において第４項目のタグNo.００１の情報および第５項目のタグNo.００２の情報がそれぞれ搬出となっているので、在庫数としては、第１項目にタグNo.００３の情報（タグ最終読み取り履歴における第１項目の情報）が、第２項目にタグNo.００４の情報（タグ最終読み取り履歴における第２項目の情報）が、第３項目にタグNo.００５の情報（タグ最終読み取り履歴における第３項目の情報）が順に表示されている。
【００２９】
次に、バーコードの読み取り忘れが生じた場合の在庫情報の表示状態について具体的に説明する。以下では、在庫置場２へのパレット５の搬入時にバーコードの読み取り忘れが生じた場合として第１パターンを、在庫置場２からのパレット５の搬出時にバーコードの読み取り忘れが生じた場合として第２パターンをそれぞれ説明する。
【００３０】
−第１パターン−
本パターンは、タグNo.００１が付与されたパレット５の搬入時にバーコードの読み取り忘れが生じた場合である。
【００３１】
図３〜図６は、この場合における、タグ読み取り履歴、タグ最終読み取り履歴、在庫数の表示状態の推移を表している。
【００３２】
図３は、タグNo.００１が付与されたパレット５の搬入時にバーコードの読み取り忘れが生じ、その後、タグNo.００２が付与されたパレット５およびタグNo.００３が付与されたパレット５が順にバーコードの読み取りが適正に行われて在庫置場２へ搬入された場合の表示状態を表している。この図３のタグ読み取り履歴の表示では、便宜上、第１項目であるタグNo.００１の情報が存在していないことを、これをグレーで塗りつぶすことで表している。
【００３３】
また、タグ最終読み取り履歴の表示としては、このタグNo.００１の情報が存在しておらず、第２項目にタグNo.００２の情報（タグ読み取り履歴における第２項目の情報）が、第３項目にタグNo.００３の情報（タグ読み取り履歴における第３項目の情報）が順に表示されている。
【００３４】
そして、在庫の表示としては、前記タグ最終読み取り履歴から、搬出されたパレット５に付与されていたタグの情報（区分が搬出となっているもの）を削除することになるが、この図２では、タグ最終読み取り履歴に、搬出されたパレット５に付与されていたタグの情報が存在していないため、第１項目にタグNo.００２の情報（タグ最終読み取り履歴における第２項目の情報）が、第２項目にタグNo.００３の情報（タグ最終読み取り履歴における第３項目の情報）が順に表示されている。
【００３５】
ここでは、在庫置場２での実際のパレット５の数は３個であるのに対し、在庫管理サーバ４上における在庫置場２でのパレット５の数は２個となっており、在庫数のズレが生じている。
【００３６】
図４は、４個目のタグ情報が読み取られた時点でのタグ読み取り履歴、タグ最終読み取り履歴、在庫数それぞれの表示状態を示している。この４個目のタグ情報は、タグNo.００１が付与されたパレット５が在庫置場２から搬出された旨の情報である。この場合、タグ最終読み取り履歴の表示としては、第４項目としてタグNo.００１の情報（タグ読み取り履歴における第４項目の情報）が追加されている。また、第１項目としてタグNo.００１の情報は表示されない。
【００３７】
そして、在庫の表示としては、前記タグ最終読み取り履歴から、搬出されたパレット５に付与されていたタグの情報（区分が搬出となっているもの）を削除することになるので、前記パレット５が在庫置場２から搬出された旨の情報（タグ最終読み取り履歴における第４項目の情報）が削除され、第１項目にタグNo.００２の情報（タグ最終読み取り履歴における第２項目の情報）が、第２項目にタグNo.００３の情報（タグ最終読み取り履歴における第３項目の情報）が順に表示されている。
【００３８】
これにより、在庫置場２での実際のパレット５の数が２個であり（タグNo.００１が付与されたパレット５が在庫置場２から搬出されたことで在庫数は２個となっている）、在庫管理サーバ４上における在庫置場２でのパレット５の数も２個となっており、在庫数のズレが解消されている。
【００３９】
図５は、５個目のタグ情報が読み取られた時点でのタグ読み取り履歴、タグ最終読み取り履歴、在庫数それぞれの表示状態を示している。この５個目のタグ情報は、タグNo.００１が付与されたパレット５が在庫置場２に搬入された旨の情報である。この場合、タグ最終読み取り履歴の表示としては、第５項目としてタグNo.００１の情報（タグ読み取り履歴における第５項目の情報）が追加されている。また、このタグ最終読み取り履歴では、前記タグ読み取り履歴に含まれる各タグ６の情報のうち、最新のタグ情報のみが抽出されるため、図４で示したタグ最終読み取り履歴の表示に加えて、第４項目としてタグNo.００１の情報（タグ読み取り履歴における第４項目の情報）が削除されている。
【００４０】
そして、在庫の表示としては、前記タグ最終読み取り履歴から、搬出されたパレット５に付与されていたタグの情報（区分が搬出となっているもの）を削除することになるが、この図５では、タグ最終読み取り履歴に、搬出されたパレット５に付与されていたタグの情報が存在していないため、第１項目にタグNo.００２の情報（タグ最終読み取り履歴における第２項目の情報）が、第２項目にタグNo.００３の情報（タグ最終読み取り履歴における第３項目の情報）が、第３項目にタグNo.００１の情報（タグ最終読み取り履歴における第５項目の情報）が順に表示されている。
【００４１】
ここでも、在庫置場２での実際のパレット５の数が３個であり（タグNo.００１が付与されたパレット５が在庫置場２に搬入されたことで在庫数は３個となっている）、在庫管理サーバ４上における在庫置場２でのパレット５の数も３個となっており、在庫数のズレが解消されている。
【００４２】
図６は、６個目のタグ情報が読み取られた時点でのタグ読み取り履歴、タグ最終読み取り履歴、在庫数それぞれの表示状態を示している。この６個目のタグ情報は、タグNo.００１が付与されたパレット５が在庫置場２から搬出された旨の情報である。この場合、タグ最終読み取り履歴の表示としては、第６項目としてタグNo.００１の情報（タグ読み取り履歴における第６項目の情報）が追加されている。また、このタグ最終読み取り履歴では、前記タグ読み取り履歴に含まれる各タグ６の情報のうち、最新のタグ情報のみが抽出されるため、図５で示したタグ最終読み取り履歴の表示に加えて、第５項目としてタグNo.００１の情報（タグ読み取り履歴における第５項目の情報）が削除されている。
【００４３】
そして、在庫の表示としては、前記タグ最終読み取り履歴から、搬出されたパレット５に付与されていたタグの情報（区分が搬出となっているもの）を削除することになるので、前記パレット５が在庫置場２から搬出された旨の情報（タグ最終読み取り履歴における第６項目の情報）が削除され、第１項目にタグNo.００２の情報（タグ最終読み取り履歴における第２項目の情報）が、第２項目にタグNo.００３の情報（タグ最終読み取り履歴における第３項目の情報）が順に表示されている。
【００４４】
ここでも、在庫置場２でのパレット５の数が２個であり、在庫管理サーバ４上における在庫置場２でのパレット５の数も２個となっており、在庫数のズレが解消されている。
【００４５】
−第２パターン−
本パターンは、タグNo.００１が付与されたパレット５の搬出時にバーコードの読み取り忘れが生じた場合である。
【００４６】
図７〜図１０は、この場合における、タグ読み取り履歴、タグ最終読み取り履歴、在庫数の表示状態の推移を表している。
【００４７】
図７は、タグNo.００１が付与されたパレット５、タグNo.００２が付与されたパレット５およびタグNo.００３が付与されたパレット５が、順にバーコードの読み取りが適正に行われて在庫置場２へ搬入された場合の表示状態を表している。この場合、タグ読み取り履歴、タグ最終読み取り履歴、在庫数の各表示状態は一致している。
【００４８】
図８は、その後、タグNo.００１が付与されたパレット５の搬出時にバーコードの読み取り忘れが生じた場合の表示状態を表している。この図８のタグ読み取り履歴の表示でも、便宜上、第４項目であるタグNo.００１の情報が存在していないことを、これをグレーで塗りつぶすことで表している。
【００４９】
また、タグ最終読み取り履歴の表示としては、このタグNo.００１の情報（搬出されたことの情報）が存在しておらず、第１項目にタグNo.００１の情報（タグ読み取り履歴における第１項目の情報）が、第２項目にタグNo.００２の情報（タグ読み取り履歴における第２項目の情報）が、第３項目にタグNo.００３の情報（タグ読み取り履歴における第３項目の情報）が順に表示されている。
【００５０】
そして、在庫の表示としては、前記タグ最終読み取り履歴から、搬出されたパレット５に付与されていたタグの情報（区分が搬出となっているもの）を削除することになるが、この図８では、タグ最終読み取り履歴に、搬出されたパレット５に付与されていたタグの情報が存在していないため、第１項目にタグNo.００１の情報（タグ最終読み取り履歴における第１項目の情報）が、第２項目にタグNo.００２の情報（タグ最終読み取り履歴における第２項目の情報）が、第３項目にタグNo.００３の情報（タグ最終読み取り履歴における第３項目の情報）が順に表示されている。
【００５１】
ここでは、在庫置場２での実際のパレット５の数は２個であるのに対し（タグNo.００１が付与されたパレット５が在庫置場２から搬出されたことで在庫数は２個となっているのに対し）、在庫管理サーバ４上における在庫置場２でのパレット５の数は３個となっており、在庫数のズレが生じている。
【００５２】
図９は、５個目のタグ情報が読み取られた時点でのタグ読み取り履歴、タグ最終読み取り履歴、在庫数それぞれの表示状態を示している。この５個目のタグ情報は、タグNo.００１が付与されたパレット５が在庫置場２に搬入された旨の情報である。この場合、タグ最終読み取り履歴の表示としては、第５項目としてタグNo.００１の情報（タグ読み取り履歴における第５項目の情報）が追加されている。また、このタグ最終読み取り履歴では、前記タグ読み取り履歴に含まれる各タグ６の情報のうち、最新のタグ情報のみが抽出されるため、図８で示したタグ最終読み取り履歴の表示に加えて、第１項目としてタグNo.００１の情報（タグ読み取り履歴における第１項目の情報）が削除される。
【００５３】
そして、在庫の表示としては、前記タグ最終読み取り履歴から、搬出されたパレット５に付与されていたタグの情報（区分が搬出となっているもの）を削除することになるが、この図９では、タグ最終読み取り履歴に、搬出されたパレット５に付与されていたタグの情報が存在していないため、第１項目にタグNo.００２の情報（タグ最終読み取り履歴における第２項目の情報）が、第２項目にタグNo.００３の情報（タグ最終読み取り履歴における第３項目の情報）が、第３項目にタグNo.００１の情報（タグ最終読み取り履歴における第５項目の情報）が順に表示されている。
【００５４】
これにより、在庫置場２での実際のパレット５の数が３個であり（タグNo.００１が付与されたパレット５が在庫置場２に搬入されたことで在庫数は３個となっている）、在庫管理サーバ４上における在庫置場２でのパレット５の数も３個となっており、在庫数のズレが解消されている。
【００５５】
図１０は、６個目のタグ情報が読み取られた時点でのタグ読み取り履歴、タグ最終読み取り履歴、在庫数それぞれの表示状態を示している。この６個目のタグ情報は、タグNo.００１が付与されたパレット５が在庫置場２から搬出された旨の情報である。この場合、タグ最終読み取り履歴の表示としては、第６項目としてタグNo.００１の情報（タグ読み取り履歴における第６項目の情報）が追加されている。また、このタグ最終読み取り履歴では、前記タグ読み取り履歴に含まれる各タグ６の情報のうち、最新のタグ情報のみが抽出されるため、図９で示したタグ最終読み取り履歴の表示に加えて、第５項目としてタグNo.００１の情報（タグ読み取り履歴における第５項目の情報）が削除されている。
【００５６】
そして、在庫の表示としては、前記タグ最終読み取り履歴から、搬出されたパレット５に付与されていたタグの情報（区分が搬出となっているもの）を削除することになるので、前記パレット５が在庫置場２から搬出された旨の情報（タグ最終読み取り履歴における第６項目の情報）が削除され、第１項目にタグNo.００２の情報（タグ最終読み取り履歴における第２項目の情報）が、第２項目にタグNo.００３の情報（タグ最終読み取り履歴における第３項目の情報）が順に表示されている。
【００５７】
ここでも、在庫置場２でのパレット５の数が２個であり（タグNo.００１が付与されたパレット５が在庫置場２から搬出されたことで在庫数は２個となっている）、在庫管理サーバ４上における在庫置場２でのパレット５の数も２個となっており、在庫数のズレが解消されている。
【００５８】
以上説明したように、本実施形態では、在庫置場２からパレット５が搬出される際、そのパレット５に付与されていたタグ６は取り外され、在庫置場２に搬入される他のパレット５に対して付与される。このため、在庫置場２に対するパレット５の搬入および搬出が繰り返されると、在庫管理サーバ４には同一タグ６の固有の情報の複数が履歴として蓄積されることになる。そして、在庫管理サーバ４は、このようにして蓄積された情報の中に同一タグ６の固有の情報が複数存在する場合には、これら同一タグ６の固有の情報のうち最新の情報に基づき、在庫置場２におけるパレット５の在庫数を判定する。つまり、複数存在している同一タグ６の固有の情報のうち、最新の情報のみを残し、他の同一タグ６の固有の情報をキャンセルすることで残った互いに異なる種類のタグ６の固有の情報のみに基づいて在庫置場２におけるパレット５の在庫数をカウントする。このため、ハンディターミナル３１，３２によるタグ６の固有の情報の読み取り忘れが生じた場合や、ハンディターミナル３１，３２の一時的な故障によってタグ６の固有の情報が読み取れなかった場合であっても、在庫置場２における実際の在庫数と、在庫管理サーバ４で管理している在庫数との不一致を解消することができる。
【００５９】
−他の実施形態−
なお、本発明は、前記実施形態に限定されるものではなく、特許請求の範囲および該範囲と均等の範囲で包含される全ての変形や応用が可能である。
【００６０】
例えば、前記実施形態では、自動車の製造工場において自動車の製造に供する部品の在庫管理を行う在庫管理システム１として本発明を適用した場合について説明した。本発明はこれに限らず、その他の工場において在庫管理を行う在庫管理システムとして適用することも可能である。
【００６１】
また、各タグ６の情報としてはバーコードには限定されず、ＱＲコードやＲＦＩＤ等であってもよい。
【００６２】
また、前記実施形態では、パレット５を在庫置場２に搬入する際に該パレット５に付与されているタグ６上のバーコードを読み取るハンディターミナル３１と、パレット５を在庫置場２から搬出する際に該パレット５に付与されているタグ６上のバーコードを読み取るハンディターミナル３２とを個別のものとしていた。本発明はこれに限らず、単一のハンディターミナルによって搬入時および搬出時共にバーコードを読み取るようにしてもよい。この場合、搬入時および搬出時の種別をハンディターミナルの操作によって入力することになる。
【産業上の利用可能性】
【００６３】
本発明は、自動車の製造ライン上の在庫置場での在庫数を在庫管理サーバで管理する在庫管理システムに適用可能である。
【符号の説明】
【００６４】
１          在庫管理システム
２          在庫置場（保管場所）
３１，３２  ハンディターミナル（読取手段）
４          在庫管理サーバ（在庫管理手段）
５          パレット（対象部材）
６          タグ
【図１】
2019099284.tif 000003
【図２】
2019099284.tif 000004
【図３】
2019099284.tif 000005
【図４】
2019099284.tif 000006
【図５】
2019099284.tif 000007
【図６】
2019099284.tif 000008
【図７】
2019099284.tif 000009
【図８】
2019099284.tif 000010
【図９】
2019099284.tif 000011
【図１０】
2019099284.tif 000012
【図１１】
2019099284.tif 000013